(57)【要約】【課題】  ステージ面をより高くして出演者を見え易くするとともに、控え室等として利用できる部屋を設けて利便性の向上を図る。【解決手段】  軽トラックからなる車両１の荷台２に出演者が乗ることが可能なステージ面３を設けたもので、荷台１に設置され側壁１１及び天井壁１２で囲繞された部屋空間Ｅを有した小屋１０を設け、この小屋１０の側壁１１に出入口１６を設け、小屋１０の天井壁１２の上面をステージ面３として構成し、天井壁１２に部屋空間Ｅとステージ面３との間の出入りを行うためのハッチ２０を形成し、部屋空間Ｅにハッチ２０に対する昇降を行うための階段２３を設け、ステージ面３に、ハッチ２０の周囲を覆い取付け及び取外し可能な筒状の衝立３０及び柵体４０を設け、この衝立３０に出入りを行うための開口３１を形成した。【選択図】図１
2019123410.tif 000002
【特許請求の範囲】
【請求項１】
車両の荷台に出演者が乗ることが可能なステージ面を設けた移動式ステージ装置において、
上記荷台に設置され側壁及び天井壁で囲繞された部屋空間を有した小屋を設け、該小屋の側壁に上記部屋空間と外との間の出入りを行うための出入口を設け、上記小屋の天井壁の上面を上記ステージ面として構成し、上記天井壁に上記部屋空間とステージ面との間の出入りを行うためのハッチを形成し、上記部屋空間に上記ハッチに対する昇降を行うための昇降体を設けたことを特徴とする移動式ステージ装置。
【請求項２】
上記ハッチを上記ステージ面の一端部側に形成し、該ステージ面の一端部側に、上記ハッチの周囲を覆い該ステージ面に乗った出演者の背景となる筒状の衝立を設け、該衝立に上記ハッチと上記ステージ面の他端部側との間の出入りを行うための開口を形成し、該衝立を、上記ステージ面に対して取付け及び取外し可能、且つ、取外し時に上記部屋空間内に収納可能にしたことを特徴とする請求項１記載の移動式ステージ装置。
【請求項３】
上記衝立を、組立及び分解可能にしたことを特徴とする請求項２記載の移動式ステージ装置。
【請求項４】
上記ステージ面の他端部側に、上記衝立とともにステージ面に乗った出演者を囲繞する柵体を設け、該柵体を、上記ステージ面に対して取付け及び取外し可能、且つ、取外し時に上記部屋空間内に収納可能にしたことを特徴とする請求項２または３記載の移動式ステージ装置。
【請求項５】
上記柵体を、組立及び分解可能にしたことを特徴とする請求項４記載の移動式ステージ装置。
【請求項６】
上記天井壁の外縁部に回動可能に設けられ、回動させられて上記天井壁の上面に重なる重畳位置、及び、上記柵体が設けられる位置から外側に突出し表面が上記ステージ面に連続する展開位置の２位置に位置する装飾板を備えたことを特徴とする請求項４または５記載の移動式ステージ装置。
【請求項７】
上記小屋に、上記装飾板の展開位置において該装飾板を裏面側から支承する支承部材を設け、該支承部材を、上記小屋に対して取付け及び取外し可能、且つ、取外し時に上記部屋空間内に収納可能にしたことを特徴とする請求項６記載の移動式ステージ装置。
【請求項８】
上記小屋を、金属パイプを接続して矩形枠状に形成され上記車両の荷台に設置されるフレームを備えて構成し、該フレームの４つの側面のうち必要な側面に上記側壁を設け、上記フレームの上面に上記天井壁を設け、上記フレームの１つの側面に設けられる側壁を、内側壁板及び外側壁板で構成し、上記内側壁板に、上記出入口を形成するとともに該出入口を開閉する開閉戸を設け、上記外側壁板の一側縁部を、該外側壁板が上記内側壁板を覆う閉位置及び該閉位置から約９０度開く開位置の２位置に位置可能に該外側壁板に隣接する側壁側に回動可能に設けたことを特徴とする請求項１乃至７何れかに記載の移動式ステージ装置。
【請求項９】
上記部屋空間を形成する側壁の内面に、鏡を付設したことを特徴とする請求項１乃至８何れかに記載の移動式ステージ装置。
【発明の詳細な説明】
【技術分野】
【０００１】
本発明は、例えば、カラオケを含む各種演奏，演劇，演説等を行うことができるステージ面を備え、屋外に簡単に設営できる移動式ステージ装置に係り、特に、車両の荷台にステージ面を設けた移動式ステージ装置に関する。
【背景技術】
【０００２】
従来、この種の移動式ステージ装置としては、例えば、特公平４−５０２１５号公報（特許文献１）に掲載されたものが知られている。これは、車両としてのトラックの荷台上に、側壁パネル及び天井パネルをボックス状に設け、使用の際に、運転席側の側壁パネル，これに連続する１つの側壁パネル及びこの側壁パネルに連続し回動させられて上向きに支持された天井パネルをステージの背景となる衝立とし、他の側壁パネルをパネル面が荷台の床面と面一になるように展開して地面に脚体で支持し、この荷台の床面及びこれに連続する側壁パネルのパネル面を出演者が乗ることが可能なステージ面として構成し、このステージ面において、例えば、カラオケを含む各種演奏，演劇，演説等を行うようにしている。
【先行技術文献】
【特許文献】
【０００３】
【特許文献１】特公平４−５０２１５号公報
【発明の概要】
【発明が解決しようとする課題】
【０００４】
ところで、上記従来の移動式ステージ装置にあっては、荷台の床面及びこれに連続する側壁パネルのパネル面をステージ面としており、車輪があるのである程度の高さはあるが、比較的多数の観衆が集まり易い屋外においてはステージ面に乗った出演者が見えにくくなることがあるという問題があった。特に、小型の車両になるとこれが顕著になる。また、荷台全てをステージ面にするので、出演者の控え室等の部屋が必要な場合には、車両の近くに別途用意しなければならず、そのため、移動ステージ装置の設営条件が限られてしまうという問題もある。
本発明は上記の問題点に鑑みて為されたもので、ステージ面をより高くして出演者を見え易くするとともに、控え室等として利用できる部屋を設けて利便性の向上を図った移動式ステージ装置を提供することを目的とする。
【課題を解決するための手段】
【０００５】
上記の目的を達成するための本発明の移動式ステージ装置は、車両の荷台に出演者が乗ることが可能なステージ面を設けた移動式ステージ装置において、
上記荷台に設置され側壁及び天井壁で囲繞された部屋空間を有した小屋を設け、該小屋の側壁に上記部屋空間と外との間の出入りを行うための出入口を設け、上記小屋の天井壁の上面を上記ステージ面として構成し、上記天井壁に上記部屋空間とステージ面との間の出入りを行うためのハッチを形成し、上記部屋空間に上記ハッチに対する昇降を行うための昇降体を設けた構成としている。昇降体としては、階段，梯子あるいは電動駆動のリフター等が挙げられる。
【０００６】
これにより、出演者がステージ面に登場するときは、先ず、出入口から部屋空間に入り、それから、昇降体で昇ってハッチを通ってステージ面に移動する。そして、このステージ面において、例えば、カラオケを含む各種演奏，演劇，演説等を行う。この場合、小屋は車両の荷台上に設けられ、ステージ面はこの小屋の天井壁の上面で構成されているので、従来に比較して、高さの高い位置にあることから、ステージ面上の出演者を観衆から見え易くすることができる。一方、出演者がステージ面から退場するときは、ハッチを通って、昇降体で部屋空間に降りる。また、小屋には部屋空間があるので、控え室等として利用することができ、それだけ、利便性を向上させることができる。
【０００７】
そして、必要に応じ、上記ハッチを上記ステージ面の一端部側に形成し、該ステージ面の一端部側に、上記ハッチの周囲を覆い該ステージ面に乗った出演者の背景となる筒状の衝立を設け、該衝立に上記ハッチと上記ステージ面の他端部側との間の出入りを行うための開口を形成し、該衝立を、上記ステージ面に対して取付け及び取外し可能、且つ、取外し時に上記部屋空間内に収納可能にした構成としている。
【０００８】
これにより、本装置を使用しないときや本装置の移動の際には、衝立を部屋空間に収納しておく。そのため、本装置をコンパクトにすることができ、移動を容易にすることができる。本装置を使用するときは、部屋空間から衝立を取出し、ステージ面の一端部側に取付ける。そして、出演者がステージ面に登場するときは、昇降体で昇ってハッチから出て、衝立の開口を通ってステージ面に移動する。この場合、衝立は、ハッチの周囲を覆っているので、ハッチから出てくる出演者が、本装置の周囲の観衆からは見えにくくなっており、そのため、観衆に不快感を与える事態が防止される。また、出演者が衝立の開口からステージ面に登場するので演出的に面白いものになる。一方、出演者がステージ面から退場するときは、衝立の開口を通り、ハッチから昇降体で部屋空間に降りる。この場合も、衝立は、ハッチの周囲を覆っているので、ハッチから降りていく出演者が、本装置の周囲の観衆からは見えにくくなっており、そのため、観衆に不快感を与える事態が防止される。本装置を使用しないときは、衝立をステージ面の一端部側から取外し、部屋空間に収納しておく。
【０００９】
この場合、上記衝立を、組立及び分解可能にしたことが有効である。分解して小さくすることができるので、部屋空間に収納し易くすることができる。
【００１０】
また、必要に応じ、上記ステージ面の他端部側に、上記衝立とともにステージ面に乗った出演者を囲繞する柵体を設け、該柵体を、上記ステージ面に対して取付け及び取外し可能、且つ、取外し時に上記部屋空間内に収納可能にした構成としている。
これにより、本装置を使用しないときや本装置の移動の際には、衝立とともに柵体を部屋空間に収納しておく。そのため、本装置をコンパクトにすることができ、移動を容易にすることができる。柵体を取付けるときは、部屋空間から柵体を取出し、ステージ面の他端部側に取付ける。柵体を取付けた状態では、柵体は衝立とともにステージ面に乗った出演者を囲繞するので、出演者の安全を図ることができる。本装置を使用しないときは、柵体をステージ面の他端部側から取外し、柵体とともに部屋空間に収納しておく。
【００１１】
この場合、上記柵体を、組立及び分解可能にしたことが有効である。分解して小さくすることができるので、部屋空間に収納し易くすることができる。
【００１２】
更に、必要に応じ、上記天井壁の外縁部に回動可能に設けられ、回動させられて上記天井壁の上面に重なる重畳位置、及び、上記柵体が設けられる位置から外側に突出し表面が上記ステージ面に連続する展開位置の２位置に位置する装飾板を備えた構成としている。天井壁が矩形の場合、少なくとも矩形の４辺のうち１辺を構成する外縁部に装飾板を設けることが望ましい。好ましくは、４辺のうち２辺を構成する外縁部に装飾板を設ける。より好ましくは、４辺のうち３辺を構成する外縁部に装飾板を設ける。更に好ましくは、４辺のうち４辺全部を構成する外縁部に装飾板を設ける。装飾板に、更に装飾板を回動可能に連設して展開させるようにしても良い。
【００１３】
これにより、本装置を使用しないときや本装置の移動の際には、装飾板を、重畳位置に位置させて天井壁の上面に重ねる。そのため、本装置をコンパクトにすることができ、移動を容易にすることができる。本装置を使用するときは、装飾板を展開位置に位置させ、その後、衝立と柵体を取付ける。この状態では、装飾板は、柵体が設けられる位置から外側に突出し表面がステージ面に連続する。そのため、本装置の周囲の観衆から出演者を見たときには、ステージ面が広く見える。特に、車両が小型の、例えば、軽トラックのような場合には、ステージを大きく広く見せることができ、極めて有効になる。また、装飾板の下になる車両側方の地面は、装飾板に覆われることになるので、控えとなる空間として利用できる。本装置を使用しないときは、衝立及び柵体をステージ面から取外し、それから、装飾板を、重畳位置に位置させて天井壁の上面に重ねる。
【００１４】
この場合、上記小屋に、上記装飾板の展開位置において該装飾板を裏面側から支承する支承部材を設け、該支承部材を、上記小屋に対して取付け及び取外し可能、且つ、取外し時に上記部屋空間内に収納可能にしたことが有効である。
これにより、本装置を使用しないときや本装置の移動の際には、支承部材を、衝立及び柵体とともに部屋空間に収納しておく。そのため、本装置をコンパクトにすることができ、移動を容易にすることができる。本装置を使用するときは、部屋空間から支承部材を取出し、小屋に対して取付けるとともに装飾板を展開位置に位置させ、その後、衝立と柵体を取付ける。この状態では、装飾板は、支承部材に支承されるので、装飾板の支持が強固になり、安定化させることができる。本装置を使用しないときは、衝立及び柵体をステージ面から取外し、それから、装飾板を、重畳位置に位置させるとともに支承部材を小屋から取外す。支承部材は、衝立及び柵体とともに部屋空間に収納しておく。必要に応じ、支承部材を、組立及び分解可能にすることができる。分解して小さくすることができるので、部屋空間に収納し易くすることができる。
【００１５】
また、必要に応じ、上記小屋を、金属パイプを接続して矩形枠状に形成され上記車両の荷台に設置されるフレームを備えて構成し、該フレームの４つの側面のうち必要な側面に上記側壁を設け、上記フレームの上面に上記天井壁を設け、上記フレームの１つの側面に設けられる側壁を、内側壁板及び外側壁板で構成し、上記内側壁板に、上記出入口を形成するとともに該出入口を開閉する開閉戸を設け、上記外側壁板の一側縁部を、該外側壁板が上記内側壁板を覆う閉位置及び該閉位置から約９０度開く開位置の２位置に位置可能に該外側壁板に隣接する側壁側に回動可能に設けた構成としている。
【００１６】
これにより、本装置を使用しないときや本装置の移動の際には、内側壁板の出入口を開閉戸で閉めておき、外側壁板を閉位置にして閉める。本装置を使用するときには、先ず、外側壁板を開位置にして開く。その後、内側壁板の出入口の開閉戸を開閉して、部屋空間への出入り等を行う。外側壁板の開位置においては、外側壁板の外面のある側からは、出入口を覆って隠すことができ、出演者等の出入り等を見えにくくすることができる。また、外側壁板は約９０度開いていることから、外側壁板の外面は、隣接する側壁の外面と面一になって連続することになり、そのため、外側壁板の外面のある側からは、ステージを大きく見せることができる。更に、外側壁板の外面及び隣接する側壁の外面に、広告等の表示をすれば、表示を目立たせることができる等の効果も奏する。
【００１７】
更に、必要に応じ、上記部屋空間を形成する側壁の内面に、鏡を付設した構成としている。部屋空間において、出演者を鏡に映してその身だしなみ等を整えることができ、控え室として用いる場合の機能を増すことができる。
【発明の効果】
【００１８】
本発明によれば、ステージ面において、例えば、カラオケを含む各種演奏，演劇，演説等を行うが、小屋は車両の荷台上に設けられ、ステージ面はこの小屋の天井壁の上面で構成されているので、従来に比較して、高さの高い位置にあることから、ステージ面上の出演者を観衆から見え易くすることができる。また、小屋には部屋空間があるので、控え室等として利用することができ、それだけ、利便性を向上させることができる。
【図面の簡単な説明】
【００１９】
【図１】本発明の実施の形態に係る移動式ステージ装置を使用状態で示す斜視図である。
【図２】本発明の実施の形態に係る移動式ステージ装置を使用状態で示す断面図である。
【図３】本発明の実施の形態に係る移動式ステージ装置において、小屋のフレーム及び支承部材を示す分解斜視図である。
【図４】本発明の実施の形態に係る移動式ステージ装置を移動させることのできる非使用時の状態で示す斜視図である。
【図５】本発明の実施の形態に係る移動式ステージ装置において、支承部材を小屋のフレームに取付けた状態を示す斜視図である。
【図６】本発明の実施の形態に係る移動式ステージ装置において、装飾板を展開位置に位置させた状態を示す斜視図である。
【図７】本発明の実施の形態に係る移動式ステージ装置において、衝立及び柵体のステージ面に取付ける前の状態を示す分解斜視図である。
【図８】本発明の実施の形態に係る移動式ステージ装置をステージ面に衝立及び柵体を取付けた状態で示す斜視図である。
【図９】本発明の実施の形態に係る移動式ステージ装置をステージ面に衝立及び柵体を取付けた状態で示す別の斜視図である。
【発明を実施するための形態】
【００２０】
以下、添付図面に基づいて本発明の実施の形態に係る移動式ステージ装置について詳細に説明する。
図１乃至図９に示すように、実施の形態に係る移動式ステージ装置Ｓは、軽トラックからなる車両１の荷台２に、例えば、カラオケを含む各種演奏，演劇，演説等を行うことができるステージ面３を備えている。ステージ面３は、出演者が起立して乗ることが可能なスペースを有している。実施の形態では、カラオケ用の装置となっている。車両１は、運転席のあるルーフ４ａを有した運転席ボックス４の後側に矩形状の床面５を備えた荷台２を備え、荷台２の側縁及び後縁には側あおり６及び後あおり７が夫々蝶番を介して開閉可能に設けられている。
【００２１】
荷台２の床面５には、側壁１１及び天井壁１２で囲繞された部屋空間Ｅを有した小屋１０が設置される。小屋１０は、図２及び図３に示すように、金属パイプＰを接続金具Ｊを介して接続して矩形枠状に形成され車両１の荷台２に設置されるフレーム１３を備えて構成されている。フレーム１３の幅Ｄ，長さＬは、荷台２の床面５の幅，長さより僅かに小さくして床面５に載置されるような寸法に設定されている。高さＨは、運転席ボックス４のルーフ４ａより上に突出し内部に人が少なくとも着座して入ることができるような寸法に設定されている。
【００２２】
フレーム１３の４つの側面のうち必要な側面に例えば木製の板からなる側壁１１がビス等により付設されている。図２に示すように、運転席ボックス４に対面するフレーム１３の前側面には側壁１１は設けられておらず、運転席ボックス４の後面４ｂが代用している。フレーム１３の前側面に側壁１１を設けても良いことは勿論である。フレーム１３の下面には床壁は設けられておらず、荷台２の床面５が代用している。床面５にはカーペットを付設することができる。フレーム１３の下面に床壁を設けても良いことは勿論である。フレーム１３の上面には例えば木製の矩形状の板からなる天井壁１２がビス等により付設されている。天井壁１２の両側縁，後縁は、平面から見て荷台２からは突出しない。天井壁１２の前縁は、平面から見て運転席ボックス４のルーフ４ａの上に延びている。
【００２３】
フレーム１３の１つの側面（実施の形態では後側面）に設けられる側壁１１（Ａ）は、内側壁板１４及び外側壁板１５で構成されている。内側壁板１４の中央には、後あおり７を開いた状態で、部屋空間Ｅと外との間の出入りを行うための出入口１６が形成されている。また、出入口１６の開口縁には、出入口１６を開閉する開き戸型の開閉戸１７がヒンジを介して設けられている。更に、外側壁板１５の一側縁部１５ａは、外側壁板１５が内側壁板１４を覆う閉位置Ｒａ及び閉位置Ｒａから約９０度開く開位置Ｒｂの２位置に位置可能に、外側壁板１５に隣接する１つの側壁１１（Ｂ）側にヒンジを介して回動可能に設けられている。側壁１１（Ｃ）には、扉１８で開閉可能な別の出入口１９が設けられており、この出入口１９からも部屋空間Ｅに対する出入りができるようにしている。外側壁板１５は、後あおり７を閉じた状態で回動できる大きさに形成されている。側壁１１の外面には、例えば、「カラオケ○○」等、本装置Ｓの機能や広告等の表示（図示せず）が付されている。更にまた、部屋空間Ｅを形成する側壁１１の内面には、鏡Ｍが付設されている。
【００２４】
そして、本実施の形態においては、小屋１０の天井壁１２の上面が、ステージ面３として構成されている。天井壁１２には、部屋空間Ｅとステージ面３との間の出入りを行うための円形の開口であるハッチ２０が形成されている。ハッチ２０は、ステージ面３の運転席側の一端部側に形成されている。ハッチ２０の開口縁には、ハッチ２０を開閉する蓋２１がヒンジを介して設けられている。また、図１及び図２に示すように、部屋空間Ｅには、ハッチ２０に対する昇降を行うための昇降体である階段２３が設けられている。階段２３は、上端が天井壁１２の下面に固定され、下端が床面５に設置される一対の側面板２４と、側面板２４間に架設される複数の踏み板２５とで形成されている。
【００２５】
また、ステージ面３の車両１の運転席ボックス４側の一端部側には、ハッチ２０の周囲を覆い、ステージ面３に乗った出演者の背景となる筒状の衝立３０が設けられている。衝立３０には、ハッチ２０とステージ面３の他端部側との間の出入りを行うための開口３１が形成されている。この衝立３０は、ステージ面３に対して取付け及び取外し可能、且つ、取外し時に部屋空間Ｅ内に収納可能に形成されている。また、衝立３０は、組立及び分解可能に形成されている。
【００２６】
詳しくは、図７に示すように、衝立３０は、フレーム１３の前側の金属パイプＰに、接続金具Ｊを介して着脱可能に立設される十字状の金属パイプＰからなる支柱管３２と、この支柱管３２にビス等により止着される衝立本体３３とを備えている。支柱管３２は、縦管３２ａと、縦管３２ａに対して接続金具Ｊを介して着脱可能に設けられる横管３２ｂとからなる。衝立本体３３は、ステージ面３の一端部側に立設され支柱管３２にビス等により止着される例えば木製の背板３４と、背板３４の左右に直角にヒンジを介して折り畳み可能に連設される例えば木製の一対の横板３５とから構成されている。横板３５のステージ面３の他端側の端縁間がハッチ２０とステージ面３の他端部側との間の出入りを行うための開口３１として構成されている。衝立本体３３は、背板３４において２分割されており、一方分割体３３Ａと他方分割体３３Ｂとからなる。
【００２７】
また、衝立３０は、横板３５のステージ面３の他端側の上端間に、ビス等で着脱可能に架設される架設部材３６と、架設部材３６の表面に着脱可能にビス等で取付けられ開口３１の上側の中央を覆う背景板３７とを備えている。背景板３７には、「カラオケ○○」等、本装置Ｓの機能や広告等の表示（図示せず）が付されている。また、背景板３７を除く開口３１には、開口３１を開閉可能に塞ぐカーテン（図示せず）を設けることができる。
【００２８】
そしてまた、ステージ面３の他端部側には、衝立３０とともにステージ面３に乗った出演者を囲繞する柵体４０が設けられている。柵体４０は、ステージ面３に対して取付け及び取外し可能、且つ、取外し時に部屋空間Ｅ内に収納可能に形成されている。また、柵体４０は、組立及び分解可能に形成されている。詳しくは、出演者を囲繞するように、接続金具Ｊを介して着脱可能に連設される複数の金属パイプＰからなるコの字型の押え管４１と、一端が押え管４１の接続金具Ｊを介して着脱可能に接続されるとともに、他端がフレーム１３に接続金具Ｊを介して接続される金属パイプＰからなる複数の脚管４２とから構成されている。
【００２９】
また、本装置Ｓにおいては、天井壁１２の外縁部に回動可能に設けられ、回動させられて天井壁１２の上面に重なる重畳位置Ｘ（図４，図５）、及び、柵体４０が設けられる位置から外側に突出し表面がステージ面３に略面一になって連続する展開位置Ｙ（図１，図２，図６乃至図９）の２位置に位置する複数（実施の形態では４枚）の例えば木製の矩形状の装飾板５０が備えられている。一対の装飾板５０（Ａ）（Ｂ）は、天井壁１２の側壁１１（Ｃ）側に位置する側縁にヒンジを介して並設されているとともに、装飾板５０（Ｃ）は天井壁１２の後端縁にヒンジを介して設けられている。装飾板５０（Ｄ）は、後端縁に設けられた装飾板５０（Ｃ）の側端縁に、展開時に側縁の装飾板５０（Ｂ）とその表面が連続するように、ヒンジを介して回動可能に設けられている。
【００３０】
更に、小屋１０には、各装飾板５０の展開位置Ｙにおいて、各装飾板５０を裏面側から支承する金属パイプＰからなる複数（実施の形態では６本）の支承部材５１が設けられている。支承部材５１は、図３及び図５に示すように、小屋１０のフレーム１３に対して取付け及び取外し可能、且つ、取外し時に部屋空間Ｅ内に収納可能に形成されている。支承部材５１（ａ）は、フレーム１３の上側側縁の金属パイプＰに接続金具Ｊを介して着脱可能に接続され、装飾板５０（Ａ）を支承する。支承部材５１（ｂ）は、フレーム１３の上側側縁の金属パイプＰに接続金具Ｊを介して着脱可能に接続され、装飾板５０（Ｂ）を支承する。一対の支承部材５１（ｃ）（ｄ）は、フレーム１３の上側後縁の金属パイプＰに接続金具Ｊを介して着脱可能に接続され、装飾板５０（Ｃ）を支承する。一対の支承部材５１（ｅ）（ｆ）は、一対の支承部材５１（ｃ）（ｄ）の金属パイプＰに接続金具Ｊを介して着脱可能に接続され、装飾板５０（Ｄ）を支承する。一対の支承部材５１（ｃ）（ｄ）と一対の支承部材５１（ｅ）（ｆ）とは、互いに組立，分解可能になっている。
【００３１】
尚、本装置Ｓはカラオケ用なので、小屋１０には、スピーカー６０（図９）が設置され、ステージ面３には、図１及び図２に示すように、マイク６１が設置されるとともに、モニター３２が設置される。スピーカー６０，マイク６１及びモニター６２等は使用しないときや移動の際には、取外されて部屋空間Ｅに収納される。運転席には、マイク６１，スピーカー６０及びモニター６２に表示する画像データ等を制御する制御装置６３が設けられている。
【００３２】
従って、この実施の形態に係る移動式ステージ装置Ｓによれば、図４に示すように、これを使用しないときや移動の際には、衝立３０，柵体４０，支承部材５１を適宜分解して部屋空間Ｅに収納しておくとともに、装飾板５０を、重畳位置Ｘに位置させて天井壁１２の上面に重ねる。衝立３０，柵体４０及び支承部材５１は、分解して小さくすることができるので、部屋空間Ｅに収納し易くすることができる。そのため、本装置Ｓをコンパクトにすることができ、移動を容易にすることができる。尚、移動の際には、装飾板５０をシートで覆うようにすることが望ましい。また、部屋空間Ｅには、スピーカー６０やマイク６１，のぼりや椅子などの備品を収容しておくことができる。
【００３３】
本装置Ｓを使用するときは、外側壁板１５を開位置Ｒｂにし、開閉戸１７を開けて、衝立３０，柵体４０，支承部材５１を取出す。それから、先ず、図５に示すように、支承部材５１を小屋１０に対して取付ける。この場合には、支承部材５１（ａ）は、フレーム１３の上側側縁の接続金具Ｊに接続し、支承部材５１（ｂ）は、フレーム１３の上側側縁の接続金具Ｊに接続し、一対の支承部材５１（ｃ）（ｄ）は、フレーム１３の上側後縁の接続金具Ｊに接続し、一対の支承部材５１（ｅ）（ｆ）は、支承部材５１の接続金具Ｊに接続する。
【００３４】
次に、図６に示すように、装飾板５０を重畳位置Ｘから回動させて展開位置Ｙに位置させる。各装飾板５０（Ａ）（Ｂ）（Ｃ）（Ｄ）は、対応する支承部材５１（ａ）（ｂ）（ｃ）（ｄ）（ｅ）（ｆ）に支承される。そのため、装飾板５０は、支承部材５１に支承されるので、装飾板５０の支持が強固になり、安定化させることができる。
【００３５】
それから、図７に示すように、衝立３０及び柵体４０を取付ける。衝立３０の取付けにおいては、先ず、縦管３２ａに接続金具Ｊを介して横管３２ｂを接続して支柱管３２を組立てる。支柱管３２は、縦管３２ａをフレーム１３の前側の接続金具Ｊに接続して立設する。次に、衝立本体３３の一方分割体３３Ａの背板３４と横板３５を開き、その背板３４を支柱管３２にビス等で取付けるとともに、衝立本体３３の他方分割体３３Ｂの背板３４と横板３５を開き、その背板３４を支柱管３２にビス等で取付け、衝立本体３３を組立てるとともに支柱管３２に取付ける。次にまた、横板３５のステージ面３の他端側の上端間に架設部材３６をビス等で取付ける。最後に、架設部材３６に背景板３７を取付けるとともに、必要に応じ、背景板３７を除く開口３１に、カーテンを設ける。これにより、図８及び図９に示すように、衝立３０が取付けられる。
【００３６】
また、柵体４０の取付けにおいては、複数の金属パイプＰを接続金具Ｊを介して接続してコの字型の押え管４１に形成するとともに、各接続金具Ｊに金属パイプＰからなる脚管４２を接続し、この脚管４２をフレーム１３の接続金具Ｊに接続する。これにより、図８及び図９に示すように、柵体４０が組み立てられるとともに取付けられる。
【００３７】
次に、図１及び図２に示すように、出演者がステージ面３に乗って、演奏する場合について説明する。出演者は、先ず、外側壁板１５の出入口１６の前に来る。この出入口１６の前は、装飾板５０の下になっており、装飾板５０に覆われることになるので、部屋空間Ｅに入る前の控えとなる空間として利用できる。それから、出入口１６の開閉戸１７を開けて、部屋空間Ｅに入る。部屋空間Ｅに入る際には、外側壁板１５の開位置Ｒｂにおいては、外側壁板１５の外面のある側からは、外側壁板１５が出入口１６を覆って隠すことになるので、出演者等の出入り等を見えにくくすることができる。部屋空間Ｅは、控え室等として利用することができ、それだけ、利便性を向上させることができる。この部屋空間Ｅにおいて、登場を待つ。この場合、部屋空間Ｅを形成する側壁１１の内面には鏡Ｍが付設されているので、出演者を鏡Ｍに映してその身だしなみ等を整えることができ、控え室として用いる場合の機能を増すことができる。
【００３８】
その後、部屋空間Ｅからステージ面３に登場する。この際には、出演者は、階段２３を昇ってハッチ２０の蓋２１を開け、このハッチ２０から出て、衝立３０の開口３１を通ってステージ面３に移動する。この場合、衝立３０は、ハッチ２０の周囲を覆っているので、ハッチ２０から出てくる出演者が、本装置Ｓの周囲の観衆からは見えにくくなっており、そのため、観衆に不快感を与える事態が防止される。また、出演者が衝立３０の開口３１からステージ面３に登場するので演出的に面白いものになる。ステージ面３においては、柵体４０が衝立３０とともにステージ面３に乗った出演者を囲繞するので、出演者の安全を図ることができる。
【００３９】
そして、このステージ面３において、出演者は、例えば、カラオケを歌う。この場合、小屋１０は車両１の荷台２上に設けられ、ステージ面３はこの小屋１０の天井壁１２の上面で構成されているので、従来に比較して、高さの高い位置にあることから、ステージ面３上の出演者を観衆から見やすくすることができる。また、本装置Ｓにおいては、装飾板５０は、柵体４０が設けられる位置から外側に突出し表面がステージ面３に略面一になって連続している。そのため、本装置Ｓの周囲の観衆から出演者を見たときには、ステージ面３が広く見える。特に、車両１が小型の、例えば、軽トラックのような場合には、ステージ面を大きく広く見せることができ、極めて有効になる。
【００４０】
また、外側壁板１５は約９０度開いていることから、外側壁板１５の外面は、隣接する側壁１１の外面と面一になって連続することになり、そのため、外側壁板１５の外面のある側からは、ステージ面を大きく見せることができる。更に、外側壁板１５の外面及び隣接する側壁１１の外面に、広告等の表示をすれば、表示を目立たせることができる等の効果も奏する。
【００４１】
カラオケの演奏が終わったならば、出演者はステージ面３から退場する。この際には、衝立３０の開口３１を通り、ハッチ２０から階段２３で部屋空間Ｅに降りる。この場合も、衝立３０は、ハッチ２０の周囲を覆っているので、ハッチ２０から降りていく出演者が、本装置Ｓの周囲の観衆からは見えにくくなっており、そのため、観衆に不快感を与える事態が防止される。
【００４２】
一方、本装置Ｓを使用しないときは、上記とは逆に、衝立３０及び柵体４０をステージ面３から取外し、それから、装飾板５０を、重畳位置Ｘに位置させるとともに支承部材５１を小屋１０から取外す。衝立３０，柵体４０及び支承部材５１は、適宜分解して部屋空間Ｅに収納する。分解して小さくすることができるので、部屋空間Ｅに収納し易くすることができる。
【００４３】
尚、上記実施の形態においては、昇降体を階段２３で構成したが、必ずしもこれに限定されるものではなく、梯子や電動駆動のリフター等で構成しても良く適宜変更して差支えない。また、上記実施の形態においては、カラオケ用の装置として説明したが、必ずしもこれに限定されるものではなく、その他の各種演奏，演劇，演説等を行うことができるようにしても良く、適宜変更して差支えない。更に、上記実施の形態においては、車両１を軽トラックで構成したが、必ずしもこれに限定されるものではなく、荷台のある車両であればどのような車両でも良いことは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４４】
Ｓ  移動式ステージ装置
１  車両
２  荷台
３  ステージ面
４  運転席ボックス
５  床面
１０  小屋
Ｅ  部屋空間
１１  側壁
１２  天井壁
Ｐ  金属パイプ
Ｊ  接続金具
１３  フレーム
１４  内側壁板
１５  外側壁板
Ｒａ  閉位置
Ｒｂ  開位置
１６  出入口
１７  開閉戸
１８  扉
１９  出入口
Ｍ  鏡
２０  ハッチ
２１  蓋
２３  階段（昇降体）
３０  衝立
３１  開口
３２  支柱管
３２ａ  縦管
３２ｂ  横管
３３  衝立本体
３３Ａ  一方分割体
３３Ｂ  他方分割体
３４  背板
３５  横板
３６  架設部材
３７  背景板
４０  柵体
４１  押え管
４２  脚管
５０  装飾板
Ｘ  重畳位置
Ｙ  展開位置
５１  支承部材
６０  スピーカー
６１  マイク
６２  モニター
６３  制御装置
【図１】
2019123410.tif 000003
【図２】
2019123410.tif 000004
【図３】
2019123410.tif 000005
【図４】
2019123410.tif 000006
【図５】
2019123410.tif 000007
【図６】
2019123410.tif 000008
【図７】
2019123410.tif 000009
【図８】
2019123410.tif 000010
【図９】
2019123410.tif 000011